(57)【特許請求の範囲】
【請求項１】
モデムダイヤルインサービス対応可能な画像通信装置において、
モデムダイヤルインサービスに対応する着信制御内容を登録する登録手段と；
上記画像通信装置にモデムダイヤルインサービス対応可能な電話機が接続されている場合、情報受信端末起動信号に対する１次応答と、Ｖ．２３に準拠したモデム信号の受信とを上記電話機に実行させ、同時に、上記Ｖ．２３に準拠したモデム信号を受信し、上記登録手段に登録されており、上記受信したＶ．２３に準拠したモデム信号に対応する着信制御内容が画像通信であれば、電話回線を上記電話機側から切り離して、上記画像通信装置側に接続し、受信完了信号を送信するとともに、呼出信号に対する２次応答をして、画像通信を実行する第１の制御手段と；
上記画像通信装置にモデムダイヤルインサービス対応可能な電話機が接続されている場合、情報受信端末起動信号に対する１次応答と、Ｖ．２３に準拠したモデム信号の受信とを上記電話機に実行させ、同時に、上記Ｖ．２３に準拠したモデム信号を受信し、上記登録手段に登録されており、上記受信したＶ．２３に準拠したモデム信号に対応する着信制御内容が画像通信でなければ、受信完了信号を上記電話機に送信させるとともに、呼出信号に対する２次応答を上記電話機にさせる第２の制御手段と；
上記画像通信装置にモデムダイヤルインサービスに対応していない電話機が接続されている場合、情報受信端末起動信号に対する１次応答を行うとともに、Ｖ．２３に準拠したモデム信号を受信し、上記登録手段に登録されており、上記受信したＶ．２３に準拠したモデム信号に対応する着信制御内容が画像通信であれば、受信完了信号を送信するとともに、呼出信号に対する２次応答をして、画像通信を実行する第３の制御手段と；
上記画像通信装置にモデムダイヤルインサービスに対応していない電話機が接続されている場合、情報受信端末起動信号に対する１次応答を行うとともに、Ｖ．２３に準拠したモデム信号を受信し、上記登録手段に登録されており、上記受信したＶ．２３に準拠したモデム信号に対応する着信制御内容が画像通信でないと、受信完了信号を送信するとともに、電話回線を上記電話機側に接続する第４の制御手段と；
接続されている上記電話機が、モデムダイヤルインサービスに対応しているか否かを設定する設定手段と；
を有し、上記設定手段によって、上記電話機がモデムダイヤルインサービスに対応していると設定されると、上記第１の制御手段または上記第２の制御手段を実行し、一方、上記設定手段によって、上記電話機がモデムダイヤルインサービスに対応していないと設定されると、上記第３の制御手段または上記第４の制御手段を実行することを特徴とする画像通信装置。
【請求項２】
請求項１において、
モデムダイヤルインサービスに対応している電話機が接続されている場合、情報受信端末起動信号に対して上記電話機が応答しないときに、上記画像通信装置の使用者に、モデムダイヤルインサービス対応の電話機が接続されていることの確認を求めるメッセージを表示することを特徴とする画像通信装置。
【請求項３】
請求項１または請求項２において、
上記画像通信はファクシミリ通信であり、上記画像通信装置はファクシミリ装置であることを特徴とする画像通信装置。
【発明の詳細な説明】
【０００１】
【発明の属する技術分野】
本発明は、画像通信装置に係り、特に、モデムダイヤルインサービス対応可能な画像通信装置に関する。
【０００２】
なお、モデムダイヤルインサービスとは、Ｖ．２３に準拠したモデム信号方式で番号情報を送ることによって行われるダイヤルインサービスをいう。そして、モデムダイヤルインサービスによって、ナンバーディスプレイサービス等も併せて受けることができる。
【０００３】
【従来の技術】
従来のモデムダイヤルインサービス対応可能なファクシミリ装置は、情報受信端末起動信号を検出すると、１次応答し、Ｖ．２３に準拠したモデム信号を受信し、この受信情報に基づいて、その後の着信制御内容を実行している。
【０００４】
【発明が解決しようとする課題】
しかしながら、上記従来例において、モデムダイヤルインサービス対応可能なファクシミリ装置に、モデムダイヤルインサービスに対応している電話機が接続され、回線が電話機側に接続されていると、情報受信端末起動信号の検出、１次応答、Ｖ．２３に準拠したモデム信号の受信を、モデムダイヤルインサービス対応可能な電話機のみが実行してしまい、受信したＶ．２３に準拠したモデム信号を、上記電話機が、上記ファクシミリ装置に送ることができず、上記ファクシミリ装置がモデムダイヤルインサービス対応可能であるにもかかわらず、上記ファクシミリ装置がモデムダイヤルイン情報に基づいた制御を実行できないという問題がある。
【０００５】
また、モデムダイヤルインサービス対応可能なファクシミリ装置に、モデムダイヤルインサービスに対応していない電話機が接続され、回線が電話機側に接続されていると、情報受信端末起動信号の検出、１次応答、Ｖ．２３に準拠したモデム信号の受信を、モデムダイヤルインサービスに対応していない電話機が実行できず、この場合、上記ファクシミリ装置がモデムダイヤルインサービス対応可能であるにもかかわらず、上記ファクシミリ装置が、情報受信端末起動信号の検出、１次応答、Ｖ．２３に準拠したモデム信号の受信を実行できず、従って、モデムダイヤルインサービス対応可能なファクシミリ装置がモデムダイヤルイン情報に基づいた制御を実行できないという問題がある。
【０００６】
また、モデムダイヤルインサービス対応可能なファクシミリ装置に、モデムダイヤルインサービスに対応している電話機が接続されているか、モデムダイヤルインサービスに対応していない電話機が接続されているかにかかわらず、回線がファクシミリ装置側に接続されていると、情報受信端末起動信号の検出、１次応答、Ｖ．２３に準拠したモデム信号の受信を、モデムダイヤルインサービス対応可能なファクシミリ装置が実行するが、受信したＶ．２３に準拠したモデム信号によって、回線を上記電話機、上記ファクシミリ装置のいずれかに接続する制御を、上記ファクシミリ装置が実行できず、従って、モデムダイヤルインサービス対応可能なファクシミリ装置がモデムダイヤルイン情報に基づいた制御を実行できないという問題がある。
【０００７】
なお、上記各問題は、ファクシミリ装置以外であって、画像通信機能を有するパソコン、テレビ電話等の画像通信装置においても発生する問題である。
【０００８】
本発明は、モデムダイヤルインサービス対応可能な画像通信装置において、電話機を接続した場合、モデルダイヤルイン情報に基づいた制御を実行することができる画像通信装置を提供することを目的とする。
【０００９】
【課題を解決するための手段】
本発明は、モデムダイヤルインサービス対応可能な画像通信装置において、モデムダイヤルインサービスに対応する着信制御内容を登録する登録手段と、上記画像通信装置にモデムダイヤルインサービス対応可能な電話機が接続されている場合、情報受信端末起動信号に対する１次応答と、Ｖ．２３に準拠したモデム信号の受信とを上記電話機に実行させ、同時に、上記Ｖ．２３に準拠したモデム信号を受信し、上記登録手段に登録されており、上記受信したＶ．２３に準拠したモデム信号に対応する着信制御内容が画像通信であれば、電話回線を上記電話機側から切り離して、上記画像通信装置側に接続し、受信完了信号を送信するとともに、呼出信号に対する２次応答をして、画像通信を実行する第１の制御手段と、上記画像通信装置にモデムダイヤルインサービス対応可能な電話機が接続されている場合、情報受信端末起動信号に対する１次応答と、Ｖ．２３に準拠したモデム信号の受信とを上記電話機に実行させ、同時に、上記Ｖ．２３に準拠したモデム信号を受信し、上記登録手段に登録されており、上記受信したＶ．２３に準拠したモデム信号に対応する着信制御内容が画像通信でなければ、受信完了信号を上記電話機に送信させるとともに、呼出信号に対する２次応答を上記電話機にさせる第２の制御手段と、上記画像通信装置にモデムダイヤルインサービスに対応していない電話機が接続されている場合、情報受信端末起動信号に対する１次応答を行うとともに、Ｖ．２３に準拠したモデム信号を受信し、上記登録手段に登録されており、上記受信したＶ．２３に準拠したモデム信号に対応する着信制御内容が画像通信であれば、受信完了信号を送信するとともに、呼出信号に対する２次応答をして、画像通信を実行する第３の制御手段と、上記画像通信装置にモデムダイヤルインサービスに対応していない電話機が接続されている場合、情報受信端末起動信号に対する１次応答を行うとともに、Ｖ．２３に準拠したモデム信号を受信し、上記登録手段に登録されており、上記受信したＶ．２３に準拠したモデム信号に対応する着信制御内容が画像通信でないと、受信完了信号を送信するとともに、電話回線を上記電話機側に接続する第４の制御手段と、接続されている上記電話機が、モデムダイヤルインサービスに対応しているか否かを設定する設定手段とを有し、上記設定手段によって、上記電話機がモデムダイヤルインサービスに対応していると設定されると、上記第１の制御手段または上記第２の制御手段を実行し、一方、上記設定手段によって、上記電話機がモデムダイヤルインサービスに対応していないと設定されると、上記第３の制御手段または上記第４の制御手段を実行することを特徴とする画像通信装置である。
【００１１】
【発明の実施の形態および実施例】
［第１の実施例］
図１は、本発明の第１の実施例であるファクシミリ装置１００の構成を示す図である。
【００１２】
ＮＣＵ（網制御装置）２は、電話網をデータ通信等に使用するために、その回線の端末に接続し、電話交換網の接続制御を行い、データ通信路の切換えを行い、ループの保持を行うものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお通常の状態では、電話回線２ａが、電話機４側に接続されている。
【００１３】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１４】
変復調器８は、ＩＴＵ−Ｔ勧告Ｖ．８、Ｖ．２１、Ｖ．２３、Ｖ．２７ｔｅｒ、Ｖ．２９、Ｖ．１７、Ｖ．３４に基づいた変調及び復調を行う変復調器であり、信号線２０ｃによって、各伝送モードが指定される。また、変復調器８は、信号線２０ｂに出力されている信号を入力し、変調データを信号線８ａに出力し、信号線６ａに出力されている受信信号を入力し、復調データを信号線８ｂに出力する。
【００１５】
ＡＮＳａｍ信号送出回路１０は、信号線２０ｄに、信号レベル「１」の信号が出力されているときに、信号線１０ａにＡＮＳａｍ信号を送出し、信号線２０ｄに、信号レベル「０」の信号が出力されているときに、信号線１０ａになにも出力しない。
【００１６】
加算回路１２は、信号線８ａの情報と信号線１０ａの情報とを入力し、加算した結果を信号線１２ａに出力する回路であり、読取回路１４は、読取りデータを信号線１４ａに出力する回路であり、記録回路１６は、信号線２０ｅに出力されている情報を順次１ライン毎に記録する回路である。
【００１７】
メモリ回路１８は、読取りデータの生情報、あるいは符号化した情報を格納し、また、受信情報あるいは復号化した情報等を格納するために使用する回路である。
【００１８】
直流ループ検出回路２２は、リレー３０がショートしている状態で、電話機４が直流ループを形成していると、信号線２２ａに信号レベル「１」の信号を出力し、リレー３０がショートしている状態で、電話機４が直流ループを形成していないと、信号線２２ａに信号レベル「０」の信号を出力する回路である。
【００１９】
情報受信端末起動信号検出回路２４は、信号線２２ｂの情報を入力し、情報受信端末起動信号を検出していると、信号線２４ａに信号レベル「１」の信号を出力し、情報受信端末起動信号を検出していないと、信号線２４ａに信号レベル「０」の信号を出力する回路である。
【００２０】
呼出信号検出回路２６は、信号線２２ｂの情報を入力し、呼出信号を検出していると、信号線２６ａに信号レベル「１」の信号を出力し、呼出信号を検出していないと、信号線２６ａに信号レベル「０」の信号を出力する回路である。
【００２１】
Ｖ．２３に準拠したモデム信号検出回路２８は、信号線２２ｂの情報を入力し、Ｖ．２３復調した情報を信号線２８ａに出力する回路である。
【００２２】
リレー３０は、信号線２０ｇに信号レベル「０」の信号が出力されているときに、信号線２２ｂと信号線４ａとを接続し、信号線２０ｇに信号レベル「１」の信号が出力されているときに、信号線２２ｂと信号線４ａとを接続しないリレーである。
【００２３】
操作部３２は、ワンタッチダイヤル、短縮ダイヤル、テンキー、＊キー、＃キー、セットキー、スタートキー、ストップキー、登録回路３４への登録キー、その他のファンクションキーを具備し、押下されたキー情報が、信号線３２ａに出力される。
【００２４】
登録回路３４は、モデムダイヤルインサービスに対応した着信制御内容を登録する回路であり、例えば、Ｖ．２３に準拠したモデム信号によって着信側の電話番号として、「０３−３１１１−１１１１」と通知されると、ファクシミリ通信を実行し、Ｖ．２３に準拠したモデム信号によって着信側の電話番号として、「０３−３１１１−１１１１」以外が通知されると、通話を実行すると登録されている。
【００２５】
選択ボタン３６は、外付け電話機の種別選択ボタンであり、外付け電話機がモデムダイヤルインサービス対応か、外付け電話機がモデムダイヤルインサービス対応でないかを選択するボタンであり、該ボタンが押下されると、信号線３６ａに押下パルスが発生する。
【００２６】
表示回路３８は、外付け電話機の種別表示回路であり、信号線２０ｆにクリアパルスが発生すると、「外付け電話機はモデムダイヤルインサービス対応ではありません」と表示し、以後、信号線３６ａに押下パルスが発生する毎に、「外付け電話機は、モデムダイヤルインサービス対応です」→「外付け電話機は、モデムダイヤルインサービス対応ではありません」→「外付け電話機は、モデムダイヤルインサービス対応です」と表示し、「外付け電話機は、モデムダイヤルインサービス対応ではありません」と表示しているときに、信号線３８ａに信号レベル「０」の信号を出力し、「外付け電話機は、モデムダイヤルインサービス対応です」と表示しているときに、信号線３８ａに信号レベル「１」の信号を出力する。
【００２７】
表示回路４０は、モデムダイヤルインサービス対応の電話機が接続されていることの確認を、ファクシミリ装置１００の使用者に求めるメッセージを表示する回路であり、信号線２０ｈに信号レベル「１」の信号が出力されているときに、確認を求めるメセージを表示し、信号線２０ｈに信号レベル「０」の信号が出力されているとき、確認を求めるメッセージを表示しない。
【００２８】
制御回路２０は、ファクシミリ装置１００にモデムダイヤルインサービス対応可能な電話機４が接続されていれば、情報受信端末起動信号に対する１次応答と、Ｖ．２３に準拠したモデム信号の受信とを電話機４に実行させ、同時に、上記Ｖ．２３に準拠したモデム信号を受信し、登録回路３４に登録されており、上記受信したＶ．２３に準拠したモデム信号に対応する着信制御内容がファクシミリ通信であれば、電話回線を電話機４側から切り離して、ファクシミリ装置１００側に接続し、受信完了信号を送信するとともに、呼出信号に対する２次応答をして、ファクシミリ通信を実行する制御を行う回路である。
【００２９】
また、制御回路２０は、ファクシミリ装置１００にモデムダイヤルインサービス対応可能な電話機４が接続されていれば、情報受信端末起動信号に対する１次応答と、Ｖ．２３に準拠したモデム信号の受信とを電話機４に実行させ、同時に、上記Ｖ．２３に準拠したモデム信号を受信し、登録回路３４に登録されており、上記受信したＶ．２３に準拠したモデム信号に対応する着信制御内容がファクシミリ通信でなければ、受信完了信号を電話機４に送信させるとともに、呼出信号に対する２次応答を電話機４にさせる制御を行う回路である。
【００３０】
また、制御回路２０は、ファクシミリ装置１００にモデムダイヤルインサービスに対応していない電話機４が接続されていれば、情報受信端末起動信号に対する１次応答を行うとともに、Ｖ．２３に準拠したモデム信号を受信し、登録回路３４に登録されており、上記受信したＶ．２３に準拠したモデム信号に対応する着信制御内容がファクシミリ通信であれば、受信完了信号を送信するとともに、呼出信号に対する２次応答をして、ファクシミリ通信を実行する制御を行う回路である。
【００３１】
また、制御回路２０は、ファクシミリ装置１００にモデムダイヤルインサービスに対応していない電話機４が接続されていれば、情報受信端末起動信号に対する１次応答を行うとともに、Ｖ．２３に準拠したモデム信号を受信し、登録回路３４に登録されており、上記受信したＶ．２３に準拠したモデム信号に対応する着信制御内容がファクシミリ通信でないと、受信完了信号を送信するとともに、電話回線を電話機４側に接続する制御を行う回路である。
【００３２】
また、制御回路２０は、接続されている電話機が、モデムダイヤルインサービスに対応しているか否かを設定する設定手段の例である選択ボタン３６と表示回路３８とによって、電話機４がモデムダイヤルインサービスに対応していると設定されると、ファクシミリ装置１００にモデムダイヤルインサービス対応可能な電話機４が接続されている場合と同様の制御を行い、また、選択ボタン３６と表示回路３８とによって、電話機４がモデムダイヤルインサービスに対応していないと設定されると、ファクシミリ装置１００にモデムダイヤルインサービスに対応していない電話機４が接続されている場合と同様の制御を行う回路である。
【００３３】
また、制御回路２０は、ファクシミリ装置１００にモデムダイヤルインサービスに対応している電話機４が接続されている場合、情報受信端末起動信号に対して電話機４が応答しないときに、ファクシミリ装置１００の使用者に、モデムダイヤルインサービス対応の電話機が接続されていることの確認を求めるメッセージを表示させる制御を行う回路である。
【００３４】
次に、ファクシミリ装置１００の動作について説明する。
【００３５】
図２〜図５は、ファクシミリ装置１００の動作を示す流れ図である。
【００３６】
まず、ファクシミリ装置１００の制御回路２０が、信号線２０ｆにクリアパルスを発生して、表示回路３８に、「外付け電話機はモデムダイヤルインサービス対応ではありません」と表示し（Ｓ２）、信号線２０ｈに信号レベル「０」の信号を出力して、モデムダイヤルインサービス対応の電話機が接続されていることの確認を求める旨を、表示回路４０に表示をしない（Ｓ４）。
【００３７】
続いて、信号線２０ｇに信号レベル「１」の信号を出力して、リレー３０をオープンし（Ｓ６）、信号線２０ａに信号レベル「０」の信号を出力して、ＣＭＬをオフし（Ｓ８）、信号線２０ｄに信号レベル「０」の信号を出力して、ＡＮＳａｍ信号を送信しない（Ｓ１０）。
【００３８】
次に、信号線３２ａの情報を入力して、モデムダイヤルインサービスに対応した着信制御内容を登録する登録回路３４に、着信制御内容を登録することが選択されたか否かを判断し（Ｓ１２）、登録が選択されると、信号線３４ａを介して次のことを登録回路３４に登録する。すなわち、Ｖ．２３に準拠したモデム信号によって、電話番号「０３−３１１１−１１１１」が通知されると、フアクシミリ通信を実行すると登録し、Ｖ．２３に準拠したモデム信号によって、電話番号「０３−３１１１−１１１１」以外が通知されると、通話を実行すると登録する（Ｓ１４）。続いて、信号線３８ａの情報を入力して、外付け電話機４がモデムダイヤルインサービスに対応しているか否かを判断する（Ｓ１６）。
【００３９】
次に、外付け電話機４がモデムダイヤルインサービスに対応していると（Ｓ１６）、信号線２０ｇに信号レベル「０」の信号を出力して、リレー３０をショートし（Ｓ１８）、一方、外付け電話機４がモデムダイヤルインサービス対応でないと（Ｓ１６）、信号線２０ｇに信号レベル「１」の信号を出力して、リレー３０をオープンする（Ｓ２０）。
【００４０】
なお、ＣＭＬがオンしているときに、ファクシミリ装置１００によって直流ループが形成される。また、ＣＭＬがオフしており、リレー３０がオンしているときに、電話機４によって直流ループが形成される。また、ＣＭＬがオフしており、リレー３０がオフしているときは、ファクシミリ装置１００、電話機４のいずれによっても直流ループが形成されない。
【００４１】
信号線２０ｇに信号レベル「０」の信号を出力して、リレー３０をショートすると（Ｓ１８）、続いて、信号線２４ａの情報を入力して、情報受信端末起動信号を検出したか否かを判断し（Ｓ２２）、情報受信端末起動信号を検出すると、タイマＴに１０秒を設定し（Ｓ２６）、情報受信端末起動信号を検出しないと、その他の処理をする（Ｓ２４）。
【００４２】
タイマＴに１０秒をセットした後（Ｓ２６）、信号線２２ａの情報を入力して、タイマＴがタイムオーバする前に、電話機４が直流ループを形成したか否かを判断し（Ｓ２８、Ｓ３０）、タイマＴがタイムオーバする前に、電話機４が直流ループを形成すると、信号線２８ａの情報を入力して、Ｖ．２３に準拠したモデム信号を受信し、記憶する（Ｓ４４）。一方、電話機４が直流ループを形成せず、タイマＴがタイムオーバすると、信号線２０ｈに信号レベル「１」の信号を出力して、電話機４がモデムダイヤルインサービス対応の電話機であるかの確認を求めるメッセージを確認を求めるメッセージ表示回路４０に表示する（Ｓ３２）。なお、この表示は何らかのキー操作により消去する。
【００４３】
次に、信号線２６ａの情報を入力して、呼出信号を検出したか否かを判断し（Ｓ３４）、呼出信号を検出すると、信号線２０ａに信号レベル「１」の信号を出力して、ＣＭＬをオンし、直流ループを形成し（Ｓ３６）、前手順を実行し（Ｓ３８）、画信号を受信し記録し（Ｓ４０）、後手順を実行する（Ｓ４２）。一方、呼出信号を検出しないとステップＳ８に戻って、ＣＭＬをオフする。なお、ここで、交換機は、６秒間、情報受信端末起動信号を出力しても、端末機側（ファクシミリ装置１００や電話機４側）から応答がないと、呼出信号を出力してくる。
【００４４】
また、信号線２８ａの情報を入力して、Ｖ．２３に準拠したモデム信号の受信をし、記憶すると（Ｓ４４）、続いて、信号線３４ａを介して、登録回路３４の情報を入力し、Ｖ．２３に準拠したモデム信号で受信した電話番号がファクシミリ通信を実行する信号か否かを判断し（Ｓ４６）、ファクシミリ通信を実行する信号でない場合は、信号線２２ａの情報を入力し、電話機４が直流ループを断したか否か、すなわち、受信完了信号を送出したか否かを判断し（Ｓ５２）、一方、Ｖ．２３に準拠したモデム信号で受信した電話番号がファクシミリ通信を実行する信号である場合は、信号線２０ｇに信号レベル「０」の信号を出力し、リレー３０をオープンして、電話機４から回線を切り離し、直流ループを形成しないで、交換機に受信完了信号を送信する（Ｓ４８）。
【００４５】
次に、信号線２６ａの情報を入力して、呼出信号を検出したか否かを判断し（Ｓ５０）、呼出信号を検出すると、信号線２０ａに信号レベル「１」の信号を出力して、ＣＭＬをオンし、直流ループを形成した後（Ｓ３６）、前手順を実行し（Ｓ３８）、画信号を受信し記録し（Ｓ４０）、後手順を実行する（Ｓ４２）。
【００４６】
また、電話機４が直流ループを断すると、すなわち、受信完了信号を送出すると（Ｓ５２）、信号線２６ａの情報を入力し、呼出信号を検出したか否かを判断し（Ｓ５４）、呼出信号を検出すると、信号線２２ａの情報を入力し、電話機４が直流ループを形成した否か、すなわち、２次応答したか否かを判断し（Ｓ５６）、電話機４がが直流ループを形成すると、通話を実行する（Ｓ５８）。
【００４７】
続いて、信号線２２ａの情報を入力して、電話機４が直流ループを断したか否かを判断し（Ｓ６０）、電話機４が直流ループを断すると、ステップＳ８に戻って、ＣＭＬをオフする。
【００４８】
また、外付け電話機４がモデムダイヤルインサービス対応でないと、信号線２０ｇに信号レベル「１」の信号を出力して、リレー３０をオープンし（Ｓ２０）、続いて、信号線２４ａの情報を入力して、情報受信端末起動信号を検出したか否かを判断し（Ｓ６２）、起動信号を検出しないと、その他の処理をし（Ｓ２４）、起動信号を検出すると、信号線２０ａに信号レベル「１」の信号を出力して、ＣＭＬをオンし、１次応答する（Ｓ６４）。
【００４９】
続いて、変復調器８を使用して、Ｖ．２３に準拠したモデム信号を受信し、記憶し（Ｓ６６）、信号線３４ａを介して、表示回路３４の情報を入力し、Ｖ．２３に準拠したモデム信号の電話番号が、ファクシミリ通信を実行する信号であるか否かを判断し（Ｓ６８）、ファクシミリ通信を実行する信号であると、信号線２０ｇに信号レベル「０」の信号を出力し、リレー３０をオープンして、電話機４から回線を切り離し、直流ループを形成しないで、交換機に受信完了信号を送信する（Ｓ４８）。一方、Ｖ．２３に準拠したモデム信号の電話番号が、ファクシミリ通信を実行する信号でないと、信号線２０ｇに信号レベル「１」の信号を出力し、リレー３０をオープンし、受信完了信号を送信する（Ｓ７０）。
【００５０】
次に、信号線２６ａの情報を入力し、呼出信号を検出したか否かを判断し（Ｓ７２）、呼出信号を検出すると、信号線２０ｇに信号レベル「０」の信号を出力し、リレー３０をショートし（Ｓ７４）、電話機４が直流ループを形成した否か、すなわち、２次応答したか否かを判断し（Ｓ５６）、電話機４がが直流ループを形成すると、通話を実行する（Ｓ５８）。
【００５１】
ファクシミリ装置１００によれば、フアクシミリ装置１００に接続されている電話機４が、モデムダイヤルインサービスに対応しているか否かにかかわらず、Ｖ．２３に準拠したモデム信号を着信した場合、このＶ．２３に準拠したモデム信号基づいた制御を実行することができる。
【００５２】
また、外付け電話機が、モデムダイヤルインサービス対応の電話機であるにもかかわらず、情報受信端末起動信号を検出した後所定の時間内に、何らかの原因で、外付け電話機が直流ループを形成しないことがある。この場合、確認を求めるメッセージ表示回路に、外付け電話機が、モデムダイヤルインサービス対応の電話機であることの確認を求める旨を表示することによって、ファクシミリ装置１００の使用者が、速やかに対応をとることができ、Ｖ．２３に準拠したモデム信号を着信した場合、このＶ．２３に準拠したモデム信号に基づいた制御を確実に実行することができる。
【００５３】
［第２の実施例］
第２の実施例は、第１の実施例において、モデムダイヤルインサービス対応のファクシミリ装置の代わりに、Ｖ．２３に準拠したモデム信号による情報通知系サービスとして、他の通信前情報通知サービス、例えば、転送先電話番号通知サービス、ダイヤル番号通知サービス対応のファクシミリ装置を設けたものである。
【００５４】
なお、ファクシミリ装置１００は、画像通信装置の例であり、ファクシミリ装置に代えて、画像通信機能を有するパソコン、テレビ電話等の画像通信装置にも上記実施例を適用することができる。
【００５５】
【発明の効果】
本発明によれば、モデムダイヤルインサービス対応可能な画像通信装置において、電話機を接続した場合、モデルダイヤルイン情報に基づいた制御を実行することができるという効果を奏する。
【図面の簡単な説明】
【図１】本発明の第１の実施例であるファクシミリ装置１００の構成を示す図である。
【図２】ファクシミリ装置１００の動作を示す流れ図である。
【図３】ファクシミリ装置１００の動作を示す流れ図である。
【図４】ファクシミリ装置１００の動作を示す流れ図である。
【図５】ファクシミリ装置１００の動作を示す流れ図である。
【符号の説明】
１００…ファクシミリ装置、
２…ＮＣＵ、
４…電話機、
２０…制御回路、
２２…直流ループ検出回路、
２４…情報受信端末起動信号検出回路、
２６…呼出し信号検出回路、
２８…Ｖ．２３に準拠したモデム信号検出回路、
３０…リレー、
３４…モデムダイヤルインに対応した着信制御内容登録回路、
３６…外付け電話機種別選択ボタン、
３８…外付け電話機種別表示回路、
４０…モデムダイヤルイン対応の電話機が接続されていることの確認を求めるメッセージを表示する回路。
【図１】
0003715862.tif 000002
【図２】
0003715862.tif 000003
【図３】
0003715862.tif 000004
【図４】
0003715862.tif 000005
【図５】
0003715862.tif 000006